(57)【要約】【課題】  水琴窟から発せられる滴下音を、水琴窟から離れた室内で、美しい澄んだ音で聞くことのできる方法を提供することを目的とする。【解決手段】  底部２を上にして逆立配置された瓶３を地中に埋設する。瓶３の底部２に音入口孔16を設け、音入口孔16から音導管17を延ばし、音導管17の端部を所望の部屋Ｒなどの場所に導く。瓶３の内部の下部に水を溜めて、水溜部４を形成し、底部２に設けられた水滴の底孔５からその水溜部４に水滴を滴下し、滴下音を発生させ、瓶３内で発生された滴下音を、所望の場所に導き、水琴窟における水の滴下音がそれら雑音にかき消されずに、所望の場所まで伝達されることができる。【選択図】  図１
2005258354.tif 000002
【特許請求の範囲】
【請求項１】
底部を上にして逆立配置した瓶と、該瓶の下部に設けられた水溜部とを有し、前記底部に設けられた底孔より前記水溜部内に水滴を落下させることにより、前記瓶内で水の滴下音を発生させる水琴窟において、前記瓶から延びる第１の導管を更に備え、該第１の導管の端部を所望の場所に導くことにより、前記瓶内で発生された滴下音を、前記所望の場所に導くことを特徴とする水琴窟。
【請求項２】
前記水溜部の下部から前記水溜部の外部に延びる第２の導管を更に備え、該第２の導管の外端部を上下可能にすることにより、前記水溜部の水位を調整することを特徴とする請求項１に記載の水琴窟。
【請求項３】
前記第１の導管が、前記瓶の底部から延びていることを特徴とする請求項１又は２に記載の水琴窟。
【発明の詳細な説明】
【技術分野】
【０００１】
本発明は、一般に日本庭園等に設置される、水の滴下音を奏でる水琴窟に関し、特に、室内においても、屋外の庭に設置された水琴窟の滴下音を聞くことのできる水琴窟に関する。
【背景技術】
【０００２】
水琴窟は、古来江戸時代に庭師により考案されたと伝えられるものであり、庭などに配設され、琴を奏でるような風雅な音色を発生させる音響装置である。
【０００３】
図５は、従来の水琴窟１Ｂの構成を示した図であり、底部２を上にして逆立配置された瓶３を地中に埋設し、瓶３の下部に水を溜めて水溜部４を形成し、底部２に設けられた底孔５から水溜部４に水滴を滴下し、滴下音を発生させる仕組みになっている。
【０００４】
水溜部４は、瓶３の口部をモルタル６などで封止して形成したもので、底孔５から流入した水が、瓶３の内部に溜まるようになっている。また、モルタル６には、瓶３の内外を貫通する円筒体７が埋め込まれており、円筒体７の上端は瓶３の内部に垂直に突き出している。その、垂直に突き出した円筒体７の瓶３内部の高さは、所望の音を創り出すのに適当な溜水の水位と同じ高さになるように設計されている。
【０００５】
水琴窟１Ｂの真上には、水を供給するための流路８と、その流路８から流れる水を溜めるための、例えば手水鉢やつくばい等の水鉢９が配置されている。その水鉢９の下には、水鉢９から流れ出る水を排水するための砂利10が敷設されており、砂利10の回りには、跳ねた水がかからないように役石11などが配置されている。
【０００６】
地中の、瓶３の回りには、砂利10から流れる水のうちの、底孔５に入らない余分な水が地中に流れるように砕石12が配置され、その外周は、セメントなどで形成された井戸枠13で囲繞され、水が広がらないようになっている。また、更に下方には、水が浸透しやすいように、砂層14及び砕石層15が敷設されている。
【０００７】
このような従来の水琴窟１Ｂにおいて、流路８から流れた水は、水鉢９に溜められ、水鉢９の容量を超えると水鉢９から流れ出て下の砂利10に流れる。そのうちの一部は瓶３の底孔５を通って瓶３の下部の水溜部４に滴下し、瓶３の内部で滴下音を発生する。
【０００８】
一方、残りの水は、砂利10から井戸枠13内の砕石12を通って更に下の砂層14及び砕石層15を経て地中に吸収される。
【０００９】
また、瓶３の内部の水溜部４の水位が、円筒体７の高さを越えると、超えた分の水が円筒体７を通って瓶の外部に流出され、砂層14及び砕石15を通って地中に吸収される。
【００１０】
このような構成の従来の水琴窟１Ｂは、自然の妙音を発生させる風雅なものであるが、その発生音は比較的小さく、車の音や、風の音などの雑音があると、屋外にある水琴窟１Ｂの音を室内で音を聞くことは困難である。
【００１１】
このため、従来においては、瓶内に収音マイクを設置してアンプで増幅させ、スピーカから音を出す方法も考えられている。
【００１２】
（例えば、非特許文献１参照。）。
【非特許文献１】吉村  金男、“水琴窟講習会”平成９年１月２２日、新潟県造園建設業協会（技能士会）日本造園組合連合会新潟県支部
【発明の開示】
【発明が解決しようとする課題】
【００１３】
しかし、上記のように水琴窟で発生する滴下音を、電気的に増幅して大きな音とする場合、雑音のない澄み切った音質に増幅することは極めて困難である。それは、水琴窟の発生音が小さいからであり、そのような小さな音をマイクで収録すると、Ｓ／Ｎ比、即ち信号レベルと雑音レベルとの比率が悪くなり、雑音のない澄み切った音質に録音することが困難だからである。
【００１４】
また、マイクやアンプなどの装置が別途必要であり、余分なコストやメンテナンスが必要となるという問題もあった。
【００１５】
本発明はこのような課題を解決するためになされたもので、水琴窟から発せられる滴下音を、水琴窟から離れた室内で、美しい澄んだ音で聞くことのできる方法を提供することを目的とする。
【課題を解決するための手段】
【００１６】
本発明の請求項１に記載の水琴窟によれば、底部を上にして逆立配置した瓶と、該瓶の下部に設けられた水溜部とを有し、前記底部に設けられた底孔より前記水溜部内に水滴を落下させることにより、前記瓶内で水の滴下音を発生させる水琴窟において、前記瓶から延びる第１の導管を更に備え、該第１の導管の端部を所望の場所に導くことにより、前記瓶内で発生された滴下音を、前記所望の場所に導くことを特徴とする。
【００１７】
この水琴窟によると、瓶内で発生された滴下音を、所望の場所まで第１の導管によって伝達することができる。
【００１８】
本発明の請求項２に記載の水琴窟によれば、請求項１に記載の水琴窟において、前記水溜部の下部から前記水溜部の外部に延びる第２の導管を更に備え、該第２の導管の外端部を上下可能にすることにより、前記水溜部の水位を調整することを特徴とする。
【００１９】
この水琴窟によると、水溜部の水位が第２の導管の端部の水平位置より高くなると、越えた分の水が瓶外部に流れ出る。ゆえに第２の導管の端部の位置を上下することにより、水溜部の水位を調整することができる。
【００２０】
本発明の請求項３に記載の水琴窟によれば、請求項１又は２に記載の水琴窟において、前記第１の導管が、前記瓶の底部から延びていることを特徴とする。
【００２１】
この水琴窟によると、滴下音の反響音が最大となる部分から第１の導管が延びているため、大きな音を伝達することができる。また、底部にから第１の導管を延ばすと、孔開け及び第１の導管の配管作業も容易である。
【発明の効果】
【００２２】
本発明の請求項１における水琴窟によると、車の音や風の音などの雑音が存在する状況においても、所望の場所で水の滴下音を聞くことができる。
【００２３】
本発明の請求項２における水琴窟によると、水溜部の水位を容易に調整できるので、季節や時間等によって所望の音色を容易に調整することができる。
【００２４】
本発明の請求項３における水琴窟によると、より良好に滴下音を聞くことができる。また、作業が容易であることから、作業費用及び時間を短縮することができる。
【発明を実施するための最良の形態】
【００２５】
以下、本発明による水琴窟の好適な実施形態について添付図面を参照しながら説明する。なお、従来技術として示した図５と同一の部分には同一符号を付し、詳細な説明は省略する。
【実施例１】
【００２６】
図１に示すように、本実施形態の水琴窟１Ａは、従来の水琴窟１Ｂと同様に、底部２を上にして逆立配置された瓶３を地中に埋設したものであり、瓶３の内部の下部に水を溜めて水溜部４を形成し、底部２に設けられた底孔５から当該水溜部４に水滴を滴下し、滴下音を発生させる仕組みになっている。また、水溜部４は、瓶３内部の水が地中に流出しないように瓶３の口部をモルタル６で封止して形成されている。そして、瓶３の回りには砕石12が配置され、その外周は、セメントなどで形成された井戸枠13で囲繞され、更にその下方には、砂層14及び砕石層15が敷設されている。
【００２７】
さらに、瓶３の底部２には底孔５とは別個に、もう一つの孔である音入口孔16が設けられている。その音入口孔16には水琴窟１Ａの音を外部に導く第１の導管たる音導管17が連結され、音導管17は地中を通ったり或いは地面に沿って配置され、そして所望の建物に沿って立ちあがり、該建物に設けられた部屋Ｒに臨んだ音出口孔18まで配管されている。なお、この場合、音入口孔16は瓶の底部に設けられているため、孔開けや音導管17の配管作業は比較的容易である。
【００２８】
音出口孔18は、図２(ａ)(ｂ)に示すように、雨戸22等の枠19の一端に外側から取り付けられた壁板20の上部に開口されていたり、図２(ｂ)に示すように、雪見障子22Ａ等の窓枠19Ａの一端に外側から取り付けられた壁板20Ａの上部に開口されている。ただし、音出口孔18の位置はこれに限定されず、また他の種類の窓枠に取り付けることもできる。
【００２９】
さらに、図１において瓶３に隣接する地中には、井戸枠13と同様にセメント等で形成された壁部26で囲繞された縦穴27が形成され、この縦穴27は、地表の扉28によって上に向かって開口可能になっている。
【００３０】
瓶３の下部のモルタル６には貫通孔29が設けられ、当該貫通孔29の下部からは水位調整用の第２の導管たる水位調整管30が延びている。水位調整管30は、砂層14の中を延び、縦穴27の壁部26を貫通して、当該縦穴27内部に続いている。縦穴27内部において水位調整管30は螺旋状に巻かれており、その先端31には、図３に示すような、垂直に整列した複数の水位調整孔32が設けられた金属又はプラスチック製の水位調整板33が取り付けられている。また、縦穴27の壁部26には、固定ピン34が差し込まれており、いずれかの水位調整孔32に固定ピン34を通して当該水位調整板33を掛止させることができるようになっている。
【００３１】
また、縦穴27の側壁部26には排水管35に接続する排水孔36が設けられ、縦穴27の下部には排水用のポンプ37が配置されている。そして排水孔36とポンプ37との間にはパイプ38が接続され、縦穴27内部に溜まる水をポンプ37で排水することができるようになっている。なお、このポンプ37は適宜設けられるものであり、ポンプ37を設置しない場合は、縦穴27内部に溜まった水の水位が、排水孔36より高くなった場合に、当該排水孔36から排水管35に水が流れ出るようにしてもよい。
【００３２】
また、瓶３の真上から少し離れたところに、流路８及び水鉢９が配置され、水鉢９の下部と瓶３の底孔５との間には、水を伝えるための水導管39が配管されている。ただし、必ずしも瓶３と水鉢９等とが離れている必要はなく、上記従来技術と同様に、瓶３の真上に水鉢９を配置してもよい。なお、水導管39の砂利側10の端部40は、砂利10が水導管39に流入しないように、図示しない網などで被覆されている。
【００３３】
流路８は、水流管41に接続され、当該水流管41は、図１の矢印Ｓの方向に続いている。そして矢印Ｓの方向で水流管41は、図４（ａ）に示すように継手43を介して水道の蛇口42に連結されている。当該継手43には、図４（ｂ）に示すような、大きさの異なる複数の通水孔44の設けられた通水板45が、水密かつ水平摺動可能に差し込まれている。そして、通水板45を継手43に摺動していずれかの通水孔44を水路Ｗに選択的に臨ませることにより水量を調節できるようになっている。通水板44は、本実施形態においては図４（ｂ）に示すような、通水孔43が一列に並んだ矩形の板を用いるが、形状はこれに限定されず、例えば図４（ｃ）に示すような、大きさの異なる複数の通水孔44が同一円周上に設けられた円板46であってもよい。この場合には軸芯Ｘを中心に回動していずれかの通水孔44を水路Ｗに選択的に臨ませることにより水量を調節できるようになっている。
【００３４】
以下、本実施形態の作用について説明する。水道の蛇口42を開くと、水は、継手43に配置された通水板45の通水孔44を通り、当該通水孔44によって水量が調整され、水流管41に流れる。この場合、水量の調整は、通水板45を水平に滑動させて所望の大きさの通水孔43を水が流れるようにして行うことができ、蛇口42の取っ手の回転という微妙な水量調整を行うことなく、段階的な水量調整を行うことができる。
【００３５】
次に、水は水流管41から流路８を経て水鉢９に流れる。そして水は、流水鉢９の容量を超えると水鉢９から溢れ出て下の砂利10に流れる。そのうちの一部は砂利10の下に配置された水導管39を通り、瓶３の底孔５から水溜部４に滴下し、瓶３の内部で滴下音を発生する。
【００３６】
瓶３内で発生された滴下音は、底部２に設けられた音入口孔16から、音導管17内を通り、壁板20に開口された音出口孔18より部屋Ｒ内に向って伝達される。
【００３７】
以上、本実施形態の水琴窟１Ａは、底部２を上にして逆立配置した瓶３と、当該瓶３の下部に設けられた水溜部４とを有し、底部２に設けられた底孔５より水溜部４内に水滴を落下させることにより、瓶３内で水の滴下音を発生させる水琴窟１Ａにおいて、瓶３から延びる音導管17を更に備える。この構成によって、当該音導管17の端部31を所望の場所に導くことにより、瓶内で発生された滴下音を、所望の場所に導くことができ、車の音や風の音などの雑音が存在する状況においても、水の滴下音がそれら雑音にかき消されることがなく、室内において自然な滴下音を聞くことができる。また、音導管17が、前記瓶の底部から延びているため、最も効果的に大きな音を伝達することができ、孔開けや配管も比較的容易である。
【００３８】
滴下音を聞く場合には、図２に示すように、雨戸22、雪見障子22Ａの壁板20と重なる部分を開けて、部屋Ｒ内に臨んだ音出口孔18を室内に対して開口すればよく、また、睡眠中などの滴下音を聞きたくない場合には雨戸22、雪見障子22Ａを閉じることにより音出口孔18を閉じることができる。
【００３９】
また、縦穴27を開口し、固定ピン26に掛止されている水位調整板33の水位調整孔32を他の水位調整孔32に掛け替え、水位調整管30の先端の高さを上下することによって溜水部の水位を変動させて、水の滴下音の音色を変更することができる。これによると、水琴窟１Ａの設置後においても、瓶３内部の水溜部４の水位を調整できるので、季節や時刻等により、所望の音色に変化させることができる。また、この場合、水位調整管30は螺旋状に巻かれているため、先端31を上下しても折れ曲がったりする可能性が低い。
【００４０】
以上、本発明の好適な実施形態について説明したが、本発明は、上記実施形態に限定されるものではなく、例えば、瓶の形、溜水の方法、排水の方法など、種々の変更が可能である。
【図面の簡単な説明】
【００４１】
【図１】本発明の実施形態の水琴窟の全体断面図である。
【図２】音出口孔側を示しており、図２(ａ)は雨戸と共に設けた斜視図、図２(ｂ)は障子と共に設けた斜視図である。
【図３】水位調整板の斜視図である。
【図４】水流管側を示しており、図４（ａ）は継手まわりの断面図、図４（ｂ）は通水板の斜視図、図４（ｃ）は円板の斜視図である。
【図５】従来の水琴窟の断面図である。
【符号の説明】
【００４２】
１Ａ  水琴窟
２    底部
３    瓶
４    水溜部
５    底孔
８    流路
16    音入口孔
17    音導管（第１の導管）
27    縦穴
30    水位調整管(第２の導管)
【図１】
2005258354.tif 000003
【図２】
2005258354.tif 000004
【図３】
2005258354.tif 000005
【図４】
2005258354.tif 000006
【図５】
2005258354.tif 000007